(57)【特許請求の範囲】
【請求項１】
電源部と、
前記電源部から供給される電力及び自身のステータスに基づいて他の装置に供給可能な電力を求める手段と、
前記求められた電力を前記他の装置に供給する供給手段と、
前記他の装置が要求する要求電力の情報を受信する手段と、
を備え、
前記電源部は、
外部電源から電力を受給する受給手段及びバッテリ電源
を含み、
前記電力を求める手段は、
前記外部電源から受給する電力及び自身のステータスに基づいて前記要求電力を前記他の装置に供給できるか否かを判定し、
前記要求電力を前記他の装置に供給できないと判定され且つ電力供給装置が前記外部電源から受給する電力で動作している場合に、該動作に必要な電源を前記バッテリ電源に切り替え、
前記供給手段は、
前記外部電源から受給する電力を前記他の装置に供給する、
電力供給装置。
【請求項２】
前記電力を求める手段は、
前記電源部から供給される電力及び自身の動作モードに基づいて前記他の装置に供給可能な電力を求める、
請求項１に記載の電力供給装置。
【請求項３】
前記電力を求める手段は、
前記電源部から供給される電力から前記動作モードで動作するのに必要な電力を減算することにより、前記他の装置に供給可能な電力を求める、
請求項２に記載の電力供給装置。
【請求項４】
前記電力供給装置は撮影装置であり、
前記動作モードは、
少なくとも、画像を撮影する撮影モードを含む、
請求項２又は請求項３に記載の電力供給装置。
【請求項５】
前記他の装置への供給電力を規定するプロファイルを複数種類記憶する手段
を備え、
前記電力を求める手段は、
前記減算の結果に基づき、前記複数種類のプロファイルの中から、前記他の装置に供給可能な電力を規定するプロファイルを選択することにより、該他の装置に供給可能な電力を求める、
請求項３又は請求項３を引用する請求項４に記載の電力供給装置。
【請求項６】
前記電力を求める手段により選択されたプロファイルを前記他の装置に通知する通知手段と、
前記通知に含まれるプロファイルの中から前記他の装置が指定したプロファイルの情報を該他の装置から受信する受信手段と、
を備え、
前記供給手段は、
前記他の装置から受信したプロファイルの情報に基づいて該他の装置に電力を供給する、
請求項５に記載の電力供給装置。
【請求項７】
前記電力を求める手段により求められた電力の情報を前記他の装置に通知する通知手段
を備え、
前記供給手段は、
前記通知に対する前記他の装置の応答結果に基づいて該他の装置に電力を供給する、
請求項１から請求項５の何れか一項に記載の電力供給装置。
【請求項８】
前記電力供給装置に対して前記他の装置を優先させるか否かを設定する設定手段
を備え、
前記電力を求める手段は、
前記他の装置を優先させると設定されている場合に限り、前記要求電力を該他の装置に供給できないと判定され且つ前記電力供給装置が前記外部電源から受給する電力で動作している場合において、該動作に必要な電源を前記バッテリ電源に切り替える、
請求項１から請求項７の何れか一項に記載の電力供給装置。
【請求項９】
前記電力を求める手段は、
前記バッテリ電源の残量が所定量以下である場合には、前記動作に必要な電源を前記バッテリ電源に切り替えない、
請求項１から請求項８の何れか一項に記載の電力供給装置。
【発明の詳細な説明】
【技術分野】
【０００１】
本発明は、電力を供給することが可能な電力供給装置に関する。
【背景技術】
【０００２】
他の装置に電力を供給することが可能な電力供給装置が知られている。この種の電力供給装置の具体的構成は、例えば特許文献１に記載されている。
【０００３】
特許文献１に記載の電力供給装置は、他の装置から受信した要求電力に関するデータに基づいて、要求電力を他の装置に供給することができるか否かを判定する。電力供給装置は、要求電力を他の装置に供給することができないと判定した場合、要求電力を供給することができる状態になるまで、電力供給装置内の電力状態を監視する。電力供給装置は、要求電力を他の装置に供給することができるようになると、バスリセットを発行した後、他の装置に電力を供給する。
【先行技術文献】
【特許文献】
【０００４】
【特許文献１】特開２００３−４４１７９号公報
【発明の概要】
【発明が解決しようとする課題】
【０００５】
しかし、特許文献１に記載の構成では、要求電力を他の装置に供給することができない期間中、他の装置への電力供給が遮断されてしまうという問題が指摘される。
【０００６】
本発明は上記の事情に鑑みてなされたものであり、その目的とするところは、自身を安定的に動作させるのに必要な電力を確保しつつ他の装置に対する電力供給を継続させるのに好適な電力供給装置を提供することである。
【課題を解決するための手段】
【０００７】
本発明の一実施形態に係る電力供給装置は、電源部と、電源部から供給される電力及び自身のステータスに基づいて他の装置に供給可能な電力を求める手段と、求められた電力を他の装置に供給する供給手段とを備える。
【０００８】
また、本発明の一実施形態において、電力を求める手段は、電源部から供給される電力及び自身の動作モードに基づいて他の装置に供給可能な電力を求める構成としてもよい。
【０００９】
また、本発明の一実施形態において、電力を求める手段は、電源部から供給される電力から動作モードで動作するのに必要な電力を減算することにより、他の装置に供給可能な電力を求める構成としてもよい。
【００１０】
また、本発明の一実施形態に係る電力供給装置は、他の装置への供給電力を規定するプロファイルを複数種類記憶する手段を備える構成としてもよい。この構成において、電力を求める手段は、減算の結果に基づき、複数種類のプロファイルの中から、他の装置に供給可能な電力を規定するプロファイルを選択することにより、該他の装置に供給可能な電力を求める。
【００１１】
また、本発明の一実施形態に係る電力供給装置は、電力を求める手段により選択されたプロファイルを他の装置に通知する通知手段と、この通知に含まれるプロファイルの中から他の装置が指定したプロファイルの情報を該他の装置から受信する受信手段とを備える構成としてもよい。この構成において、供給手段は、他の装置から受信したプロファイルの情報に基づいて該他の装置に電力を供給する。
【００１２】
また、本発明の一実施形態に係る電力供給装置は、電力を求める手段により求められた電力の情報を他の装置に通知する通知手段を備える構成としてもよい。この構成において、供給手段は、通知手段による通知に対する他の装置の応答結果に基づいて該他の装置に電力を供給する。
【００１３】
また、本発明の一実施形態に係る電力供給装置は、他の装置が要求する要求電力の情報を受信する手段を備える構成としてもよい。また、電源部は、外部電源から電力を受給する受給手段を含む構成としてもよい。この構成において、電力を求める手段は、外部電源から受給する電力及び自身のステータスに基づいて要求電力を他の装置に供給できるか否かを判定し、要求電力を他の装置に供給できないと判定される場合に、外部電源に現在よりも多い電力の供給を要求する。また、供給手段は、要求後に外部電源から受給する電力を用いて他の装置に電力を供給する。
【００１４】
また、本発明の一実施形態に係る電力供給装置は、他の装置が要求する要求電力の情報を受信する手段を備える構成としてもよい。また、電源部は、外部電源から電力を受給する受給手段及びバッテリ電源を含む構成としてもよい。この構成において、電力を求める手段は、外部電源から受給する電力及び自身のステータスに基づいて要求電力を他の装置に供給できるか否かを判定し、要求電力を他の装置に供給できないと判定され且つ電力供給装置が外部電源から受給する電力で動作している場合に、該動作に必要な電源をバッテリ電源に切り替える。また、供給手段は、外部電源から受給する電力を他の装置に供給する。
【００１５】
また、本発明の一実施形態に係る電力供給装置は、電源供給装置に対して他の装置を優先させるか否かを設定する設定手段を備える構成としてもよい。この構成において、電力を求める手段は、他の装置を優先させると設定されている場合に限り、要求電力を該他の装置に供給できないと判定され且つ電力供給装置が外部電源から受給する電力で動作している場合において、該動作に必要な電源をバッテリ電源に切り替える。
【００１６】
また、本発明の一実施形態において、電力を求める手段は、例えば、バッテリ電源の残量が所定量以下である場合には、動作に必要な電源をバッテリ電源に切り替えない。
【００１７】
また、本発明の一実施形態に係る電力供給装置は、例えば撮影装置である。この場合の動作モードは、少なくとも、画像を撮影する撮影モードを含む。
【発明の効果】
【００１８】
本発明の一実施形態によれば、自身を安定的に動作させるのに必要な電力を確保しつつ他の装置に対する電力供給を継続させるのに好適な電力供給装置が提供される。
【図面の簡単な説明】
【００１９】
【図１】本発明の一実施形態に係る電力供給システムの構成を示すブロック図である。
【図２】本発明の一実施形態において実行される電力供給処理のフローチャートを示す図である。
【発明を実施するための形態】
【００２０】
以下、本発明の一実施形態に係る電力供給システムについて図面を参照しながら説明する。
【００２１】
図１は、本発明の一実施形態に係る電力供給システム１の構成を示すブロック図である。電力供給システム１は、相互通信可能な複数台（少なくとも２台）の機器から構成される。図１の例では、電力供給システム１は、３台の機器（機器１０、２０、３０）から構成される。
【００２２】
電力供給システム１を構成する機器は、機器同士の通信の結果に応じて電力供給や電力受給を行うことができるものであり、例示的には、ＵＳＢ（Universal Serial Bus）−ＰＤ（Power Delivery）に対応した機器である。機器の具体例としては、デジタル一眼レフカメラ、ミラーレス一眼カメラ、コンパクトデジタルカメラ、ビデオカメラ、カムコーダ、デスクトップＰＣ、ノートＰＣ、タブレット端末、ＰＨＳ（Personal Handy phone System）、スマートフォン、スマートウォッチ、フィーチャフォン、ゲーム機、音楽プレイヤ、ＴＶ、カーナビゲーション、プロジェクタ、プリンタやストレージ等の各種周辺機器、ストロボ、ＧＰＳユニット、外付けファインダ等の各種アクセサリ等が挙げられる。
【００２３】
図１の例では、機器１０、２０、３０は、それぞれ、撮影装置、ＰＣ、ストロボである。以下、機器１０を「撮影装置１０」と記し、機器２０を「ＰＣ２０」と記し、機器３０を「ストロボ３０」と記す。なお、本実施形態では、便宜上、機器特有の構成（例えば、撮影装置では固体撮像素子や撮影レンズ、ＰＣではモニタディスプレイやＨＤＤ、ストロボでは閃光ランプやトリガ回路等）や、ハウジング等の一般的な構成であって、説明を省略しても差し支えないものについては、その図示及び説明を適宜省略又は簡略する。
【００２４】
図１に示されるように、撮影装置１０は、ＣＰＵ（Central Processing Unit）１００、電源回路１１０、バッテリ１２０、ＵＳＢコネクタ１３０、１４０、メモリ１５０及びＵＩ（User Interface）１６０を備えている。
【００２５】
ＵＩ１６０には、電源スイッチやレリーズスイッチ、撮影モードスイッチなど、ユーザが撮影装置１０を操作するための各種の操作手段が含まれる。ユーザにより電源スイッチが操作されると、電源回路１１０から撮影装置１０内の各種回路に電源ラインを通じて電力供給が行われる。なお、電源回路１１０への電力供給元は、着脱可能なバッテリ１２０、商用電源、ＰＣ２０である。撮影装置１０は、基本的にバッテリ１２０から供給される電力で動作するが、商用電源やＰＣ２０に接続された時には、その接続先から供給される電力での動作に手動又は自動で切り替わる。ＰＣ２０による電力供給については、詳しくは後述する。
【００２６】
ＣＰＵ１００は、電源回路１１０から電力を受給すると、メモリ１５０にアクセスして制御プログラムを読み出してワークエリアにロードし、ロードされた制御プログラムを実行することにより、撮影装置１０全体の制御を統括的に行う。ＣＰＵ１００は、例えば、レリーズスイッチが押されると、ＡＥ制御及びＡＦ制御に基づいて適正な露出及びピントでの撮像処理を実行し、撮影画像データを生成して記録する。
【００２７】
図１に示されるように、ＰＣ２０は、ＣＰＵ２００、電源回路２１０、ＵＳＢコネクタ２２０、メモリ２３０及びＵＩ２４０を備えている。
【００２８】
ＵＩ２４０には、電源スイッチやキーボード、マウスなど、ユーザがＰＣ２０を操作するための各種の操作手段が含まれる。ユーザにより電源スイッチが操作されると、電源回路２１０からＰＣ２０内の各種回路に電源ラインを通じて電力供給が行われる。なお、電源回路２１０への電力供給元は、商用電源である。また、電源回路２１０への電力供給元は、バッテリ（不図示）であってもよい。
【００２９】
ＣＰＵ２００は、電源回路２１０から電力を受給すると、メモリ２３０にアクセスして制御プログラムを読み出してワークエリアにロードし、ロードされた制御プログラムを実行することにより、ＰＣ２０全体の制御を統括的に行う。ＣＰＵ２００は、例えば、ユーザ操作に応じてＷｅｂサーバにリクエストを発行し、発行されたリクエストに応じたコンテンツをダウンロードして保存する。
【００３０】
ＰＣ２０のＵＳＢコネクタ２２０には、ＵＳＢケーブル４００の一端が接続されている。ＵＳＢケーブル４００の他端は、撮影装置１０のＵＳＢコネクタ１３０に接続されている。撮影装置１０とＰＣ２０は、ＵＳＢケーブル４００を介して相互通信可能に接続されている。
【００３１】
撮影装置１０のＵＳＢコネクタ１３０及びＰＣ２０のＵＳＢコネクタ２２０は、ＵＳＢ−ＰＤ対応のコネクタであり、例えば、USB Type-Cコネクタである。また、ＵＳＢケーブル４００は、ＵＳＢ−ＰＤ対応のケーブルであり、例えば、USB Type-Cケーブルである。
そのため、撮影装置１０は、ＰＣ２０から電力を受給することができ、また、ＰＣ２０に電力を供給することができる。撮影装置１０とＰＣ２０とが接続されると、ユーザ操作に応じて又は自動的にホスト（電力供給側の機器）が設定される。ここでは、ＰＣ２０がホストに設定される。撮影装置１０の電源回路１１０は、ユーザ操作に応じて又は自動的にホスト（ＰＣ２０）に対して電力供給要求を発行する。
【００３２】
ＰＣ２０の電源回路２１０は、他の機器への供給電力を規定する複数種類の電力プロファイルを保持している。下記は、電源回路２１０が保持する電力プロファイル例を示す。
（電力プロファイル例）
PROFILE   POWER   VOLTAGE   CURRENT
PROFILE0         RESERVED
PROFILE1    10W        5V        2A
PROFILE2    18W       12V      1.5A
PROFILE3    36W       12V        3A
PROFILE4    60W       20V        3A
PROFILE5   100W       20V        5A
【００３３】
ＰＣ２０の電源回路２１０は、撮影装置１０から電力供給要求を受けると、商用電源から受給している電力からＰＣ２０の動作に必要な動作電力を減算し、減算された値の電力を充足する電力プロファイルを選択する。例えば、商用電源からの受給電力が１００Ｗであり且つＰＣ２０の動作電力が６０Ｗである場合を考える。この場合、電源回路２１０は、上記の電力プロファイル群の中から４０Ｗ（＝１００Ｗ−６０Ｗ）以下の電力プロファイル０〜３を選択し、選択された電力プロファイル０〜３を利用可能な電力プロファイルとして撮影装置１０に通知する。
【００３４】
撮影装置１０の電源回路１１０は、撮影装置１０を安定的に動作させるのに必要な動作電力を動作モード毎に規定している。動作モードには、例えば、静止画撮影モード、動画撮影モード、静止画再生モード、動画再生モード、省電力モード、スリープモード等が挙げられる。電源回路１１０は、ＰＣ２０からの通知に含まれる電力プロファイル０〜３の中から、現在のステータス（本実施形態では、現在の動作モード（動作電力））に応じた最適な電力プロファイルを指定し、指定した電力プロファイルをＰＣ２０に通知して、電力供給元をバッテリ１２０からＰＣ２０に切り替える。
【００３５】
ＰＣ２０の電源回路２１０は、撮影装置１０で指定された電力プロファイルに応じた電力をＵＳＢケーブル４００を介して撮影装置１０に供給する。撮影装置１０は、ＰＣ２０から受給した受給電力で動作する。
【００３６】
なお、撮影装置１０の電源回路１１０は、ＰＣ２０から受給した受給電力に対して撮影装置１０を安定的に動作させるのに必要な動作電力が所定値以上小さい場合、受給電力から動作電力を差し引いた残りの電力を用いてバッテリ１２０を充電してもよい。また、電源回路１１０は、ＰＣ２０から受給した受給電力が動作電力よりも小さい場合には、電力供給元をバッテリ１２０に切り替えると共に、受給電力を用いてバッテリ１２０を充電してもよい。
【００３７】
また、上記の実施形態では、ＰＣ２０が電力供給側であり、撮影装置１０が電力受給側であるが、別の実施形態では、撮影装置１０が電力供給側であり、ＰＣ２０が電力受給側であってもよい。
【００３８】
図１に示されるように、ストロボ３０は、ＣＰＵ３００、電源回路３１０及びＵＳＢコネクタ３２０を備えている。また、ストロボ３０は、バッテリを搭載した構成であってもよい。
【００３９】
ストロボ３０のＵＳＢコネクタ３２０には、ＵＳＢケーブル５００の一端が接続されている。ＵＳＢケーブル５００の他端は、撮影装置１０のＵＳＢコネクタ１４０に接続されている。撮影装置１０とストロボ３０は、ＵＳＢケーブル５００を介して相互通信可能に接続されている。
【００４０】
撮影装置１０のＵＳＢコネクタ１４０及びストロボ３０のＵＳＢコネクタ３２０は、ＵＳＢ−ＰＤ対応のコネクタであり、例えば、USB Type-Cコネクタである。また、ＵＳＢケーブル５００は、ＵＳＢ−ＰＤ対応のケーブルであり、例えば、USB Type-Cケーブルである。そのため、撮影装置１０は、ストロボ３０から電力を受給することができ、また、ストロボ３０に電力を供給することができる。
【００４１】
［電力供給処理］
図２は、ストロボ３０が接続された時に撮影装置１０の電源回路１１０により実行される電力供給処理のフローチャートを示す図である。なお、撮影装置１０は、ストロボ３０との接続時、ＰＣ２０から受給した受給電力で動作しているものとする。
【００４２】
［図２のＳ１１（電力供給の要求判定）］
本処理ステップＳ１１では、ストロボ３０から電力供給要求を受けたか否かが判定される。ストロボ３０から電力供給要求を受けていないと判定される場合（Ｓ１１：ＮＯ）、本フローチャートに示される電力供給処理は終了する。なお、ストロボ３０は、発光後、次の撮影に備えて内部コンデンサへの充電が必要な時だけ大きな電力を要求する。
【００４３】
［図２のＳ１２（アクセサリの優先判定）］
本処理ステップＳ１２は、処理ステップＳ１１（電力供給の要求判定）にてストロボ３０から電力供給要求を受けたと判定される場合（Ｓ１１：ＹＥＳ）に実行される。本処理ステップＳ１２では、撮影装置１０に対してアクセサリを優先させるか否かが判定される。撮影装置１０に対してアクセサリを優先させるか否かは、例えばＵＩ１６０に対するユーザ操作によって設定されてもよく、また、アクセサリ毎に自動的に設定されてもよい。
【００４４】
［図２のＳ１３（電力量の判定）］
本処理ステップＳ１３は、処理ステップＳ１２（アクセサリの優先判定）にて撮影装置１０に対してアクセサリを優先させると判定される場合（Ｓ１２：ＹＥＳ）に実行される。ストロボ３０からの電力供給要求には、ストロボ３０が要求する要求電力の情報が含まれている。本処理ステップＳ１３では、撮影装置１０を安定的に動作させるのに必要な動作電力（言い換えると、現在の動作モードに対して規定されている電圧）とストロボ３０の要求電力（より正確には、電力プロファイルで規定される電力のうち、ストロボ３０の要求電力を満たす電力であり、以下、「要求充足電力」と記す。）との合計がＰＣ２０から受給している受給電力よりも大きいか否かが判定される。
【００４５】
［図２のＳ１４（切替設定の有効性判定）］
本処理ステップＳ１４は、処理ステップＳ１３（電力量の判定）にて撮影装置１０を安定的に動作させるのに必要な動作電力とストロボ３０の要求充足電力との合計がＰＣ２０から受給している受給電力よりも大きいと判定される場合（Ｓ１３：ＹＥＳ）に実行される。本処理ステップＳ１４では、撮影装置１０の電力供給元をバッテリ１２０に切り替える切替設定が有効か否かが判定される。ユーザは、切替設定の有効／無効を例えばＵＩ１６０を操作して設定することができる。
【００４６】
［図２のＳ１５（供給電力増加要求の発行）］
本処理ステップＳ１５は、処理ステップＳ１４（切替設定の有効性判定）にて撮影装置１０の電力供給元をバッテリ１２０に切り替える切替設定が有効でない（無効である）と判定される場合（Ｓ１４：ＮＯ）に実行される。この場合、撮影装置１０を安定的に動作させるのに必要な動作電力とストロボ３０の要求充足電力の少なくとも一方を不足なく確保することができないため、本処理ステップＳ１５では、供給電力量を現在よりも増やす要求（例示的には、動作電力と要求充足電力との合計を超える電力の要求）をＰＣ２０に発行する。ＰＣ２０は、この要求に対し、撮影装置１０への供給電力を可能な範囲内で増やす。
【００４７】
［図２のＳ１６（アクセサリへの電力の供給）］
本処理ステップＳ１６は、処理ステップＳ１２（アクセサリの優先判定）にて撮影装置１０に対してアクセサリを優先させないと判定される場合（Ｓ１２：ＮＯ）、処理ステップＳ１３（電力量の判定）にて撮影装置１０を安定的に動作させるのに必要な動作電力とストロボ３０の要求充足電力との合計がＰＣ２０から受給している受給電力以下であると判定される場合（Ｓ１３：ＮＯ）又は処理ステップＳ１５（供給電力増加要求の発行）後に実行される。
【００４８】
本処理ステップＳ１６では、ＰＣ２０から受給している受給電力から撮影装置１０を安定的に動作させるのに必要な動作電力を差し引いた残りの電力がストロボ３０に供給される。例示的には、受給電力が１００Ｗ、動作電力が３０Ｗである場合（上記の差し引いた電力が７０Ｗの場合）、上記の電力プロファイル例の電力プロファイル０〜４が撮影装置１０の電源回路１１０からストロボ３０に通知され、電力プロファイル０〜４の中からストロボ３０が指定したものが電源回路１１０に返される。電源回路１１０は、指定された電力プロファイルに規定される電力をストロボ３０に供給する。
【００４９】
撮影装置１０の動作電力とストロボ３０の要求充足電力との合計がＰＣ２０からの受給電力以下の場合、要求を満たす電力がストロボ３０に供給されて、ストロボ３０の内部コンデンサへの充電が規定時間内に完了する。受給電力が動作電力と要求充足電力との合計よりも一定値以上大きい場合には、内部コンデンサをより急速に充電するため、電力プロファイルで規定される電力であって、現在の要求充足電力よりも大きいものがストロボ３０に供給されてもよい。
【００５０】
また、撮影装置１０の動作電力とストロボ３０の要求充足電力との合計がＰＣ２０からの受給電力よりも大きい場合であっても、要求電力に満たない電力ではあるが、受給電力から動作電力を差し引いた電力であって、電力プロファイルで規定されるものがストロボ３０に供給される。そのため、ストロボ３０の内部コンデンサは、撮影装置１０から供給された電力によって充電される。内部コンデンサの充電は、規定時間を超えてしまうものの、完了する。すなわち、本実施形態によれば、ＰＣ２０からの受給電力が十分とは言えない場合であっても、撮影装置１０を安定的に動作させるのに必要な動作電力が確保されつつストロボ３０に対する電力供給が継続されて、内部コンデンサが充電される。
【００５１】
なお、撮影装置１０の動作電力とストロボ３０の要求充足電力との合計がＰＣ２０からの受給電力よりも大きい場合、充電期間中、撮影装置１０の動作モードを省電力モードやスリープモードに移行、すなわち、撮影装置１０の動作電力を一時的に低下させてもよい。動作電力を充電期間中に限り低下させることにより、撮影装置１０の動作への影響を抑えつつ、ストロボ３０の内部コンデンサの充電速度を速めることができる。
【００５２】
［図２のＳ１７（電力供給元の切り替え）］
本処理ステップＳ１７は、処理ステップＳ１４（切替設定の有効性判定）にて撮影装置１０の電力供給元をバッテリ１２０に切り替える切替設定が有効であると判定される場合（Ｓ１４：ＹＥＳ）に実行される。本処理ステップＳ１７では、撮影装置１０の電力供給元がバッテリ１２０に切り替えられる。但し、バッテリ１２０の残容量が所定量未満である場合、撮影装置１０の動作に支障をきたす虞がある。この場合、バッテリ１２０への切り替えが強制的に禁止されてもよい。
【００５３】
［図２のＳ１８（電力量の判定）］
本処理ステップＳ１８では、ストロボ３０の要求充足電力がＰＣ２０からの受給電力よりも大きいか否かが判定される。
【００５４】
［図２のＳ１９（供給電力増加要求の発行）］
本処理ステップＳ１９は、処理ステップＳ１８（電力量の判定）にてストロボ３０の要求充足電力がＰＣ２０からの受給電力よりも大きいと判定される場合（Ｓ１８：ＹＥＳ）に実行される。本処理ステップＳ１９では、供給電力量を現在よりも増やす要求（例示的には、要求充足電力を超える電力の要求）をＰＣ２０に発行する。ＰＣ２０は、この要求に対し、撮影装置１０への供給電力を可能な範囲内で増やす。
【００５５】
［図２のＳ２０（アクセサリへの電力の供給）］
本処理ステップＳ２０は、処理ステップＳ１８（電力量の判定）にてストロボ３０の要求充足電力がＰＣ２０からの受給電力以下である場合（Ｓ１８：ＮＯ）又は処理ステップＳ１９（供給電力増加要求の発行）後に実行される。
【００５６】
本処理ステップＳ２０では、ＰＣ２０から受給している受給電力がストロボ３０に供給される。
【００５７】
具体的には、ストロボ３０の要求充足電力がＰＣ２０からの受給電力以下の場合、要求を満たす電力がストロボ３０に供給されて、ストロボ３０の内部コンデンサへの充電が規定時間内に完了する。受給電力が要求充足電力よりも一定値以上大きい場合には、内部コンデンサをより急速に充電するため、現在の要求充足電力よりも大きいものがストロボ３０に供給されてもよい。
【００５８】
また、ストロボ３０の要求充足電力がＰＣ２０からの受給電力よりも大きい場合であっても、要求電力に満たない電力ではあるが、受給電力がストロボ３０に供給される。そのため、ストロボ３０の内部コンデンサは、撮影装置１０から供給された電力によって充電される。内部コンデンサの充電は、規定時間を超えてしまうものの、完了する。すなわち、本実施形態によれば、ＰＣ２０からの受給電力が十分とは言えない場合であっても、撮影装置１０を安定的に動作させるのに必要な動作電力が確保されつつストロボ３０に対する電力供給が継続されて、内部コンデンサが充電される。
【００５９】
［図２のＳ２１（電力供給の要求判定）］
本処理ステップＳ２１では、ストロボ３０から電力供給要求を受けたか否かが判定される。ストロボ３０から電力供給要求を受けたと判定される場合（Ｓ２１：ＹＥＳ）、本フローチャートに示される電力供給処理は、処理ステップＳ１２（アクセサリの優先判定）に戻る。また、ストロボ３０から電力供給要求を受けていないと判定される場合（Ｓ２１：ＮＯ）、本フローチャートに示される電力供給処理は終了する。
【００６０】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【符号の説明】
【００６１】
１  電力供給システム
１０  撮影装置
２０  ＰＣ
３０  アクセサリ
１００  ＣＰＵ
１１０  電源回路
１２０  バッテリ
１３０、１４０  ＵＳＢコネクタ
１５０  メモリ
１６０  ＵＩ
２００  ＣＰＵ
２１０  電源回路
２２０  ＵＳＢコネクタ
２３０  メモリ
２４０  ＵＩ
３００  ＣＰＵ
３１０  電源回路
３２０  ＵＳＢコネクタ
４００、５００  ＵＳＢケーブル
【図１】
0006575816.tif 000002
【図２】
0006575816.tif 000003